(57)【要約】【課題】電子機器が動作可能であるかを予測する構成において、定電流負荷回路などの擬似負荷回路が必要なく、起動時にも動作予測を可能にした電子機器を提供することである。【解決手段】電子機器に電源を供給する挿抜可能な第一のバッテリと、第一のバッテリが抜かれていても機器の一部に電源を供給する第二のバッテリと、第一のバッテリから機器に必要な電圧に変換する電源変換部と、第一のバッテリの電圧を検出する第一又は第二のバッテリで動作するバッテリ電圧検出部と、電子機器の電源ＯＮ／ＯＦＦを操作する電源操作部と、電源操作部からの信号で電源変換部をＯＮ／ＯＦＦ制御する第一又は第二のバッテリで動作する電源制御部を備えて、電源変換部をＯＦＦしている時の第一のバッテリ電圧と、電源変換部をＯＮしている時の第一のバッテリ電圧から、第一のバッテリの内部抵抗値を算出し機器が動作可能であるかを判断することを特徴とする構成とした。【選択図】  図１
2015186359.tif 000002
【特許請求の範囲】
【請求項１】
電子機器に電源を供給できる第一のバッテリと、
前記第一のバッテリが抜かれている状態でも電子機器の一部に電源を供給する第二のバッテリと、
前記第一のバッテリから電子機器に必要な電圧に変換する電源部と、
前記第一のバッテリの電圧を検出する第一のバッテリ又は第二のバッテリで動作するバッテリ電圧検出部と、
前記電子機器の電源をＯＮにするかＯＦＦにするかを操作する操作部と、
前記操作部からの信号で前記電源部を制御する第一のバッテリ又は第二のバッテリで動作する制御部と、
前記バッテリ電圧検出部で検出した電圧値から前記第一のバッテリの内部抵抗を算出する算出部
を備えた電子機器において、
前記制御部が前記電源部をＯＦＦしている時の前記第一のバッテリ電圧と、前記電源部をＯＮしている時の前記第一のバッテリ電圧を用いて前記算出部が、前記第一のバッテリの内部抵抗値を算出し、算出した内部抵抗値から電子機器が動作可能であるかを判断する構成にしたことを特徴とする電子機器。
【請求項２】
電子機器がＯＮしている状態から、ＯＦＦする際に、
前記第一のバッテリの内部抵抗を算出する際に取得した前記電源部をＯＦＦしている時の前記第一のバッテリ電圧と、前記電源部をＯＮしている時の前記第一のバッテリ電圧と算出した内部抵抗値を記憶する記憶部を備えたことを特徴とする請求項１に記載の電子機器。
【請求項３】
前記制御部が前記電源部をＯＦＦしている時の前記第一のバッテリ電圧と、前記電源部をＯＮしている時の前記第一のバッテリ電圧が、前記記憶部で記憶している電圧値と同じ電圧値である場合には、前記記憶部に記憶している前記第一のバッテリの内部抵抗値を用いて、電子機器が動作可能であるかを判断することを特徴とする請求項２に記載の電子機器。
【発明の詳細な説明】
【技術分野】
【０００１】
本発明は、バッテリの内部抵抗を算出しその結果をもとに動作が可能であるかを判定するための電子機器に関する。
【背景技術】
【０００２】
デジタルカメラなどの電子機器は、機器を動作させるための電源を供給するバッテリを収容可能となっている。デジタルカメラは、消費電力の大きい動作を行う時に、現在のバッテリ残量容量で動作が可能であるかの推定を行ってから動作を開始する（特許文献１参照）。バッテリ残量推定回路構成として、図７に示すブロック図が挙げられる。
【０００３】
以下に、図７を用いてバッテリ残量推定回路の構成を説明する。バッテリ７０１に対し、直列に接続された分圧抵抗Ｒ１、Ｒ２を並列に接続されたバッテリ電圧検出部７０６と、一定の電流を流すことが可能である定電流負荷部７０５が接続されている。定電流負荷部７０５はＯＮ／ＯＦＦの制御が可能である構成となっている。デジタルカメラシステム７０３に電源を供給する電源部７０２は、デジタルカメラシステム７０３で必要とされる複数の定電圧をバッテリ７０１の電圧から電圧変換を行って電源供給をしている。制御部７０４は、デジタルカメラシステム全体の制御を行っている。図７には、バッテリ残量推定回路に関わるブロックのみ示されている。
【０００４】
電源制御部７１０は、デジタルカメラの動作によって必要とされる電源部７０２から供給される電圧をＯＮし、また、不必要とされる電圧をＯＦＦするという電源部７０２の制御を行っている。操作スイッチ７０８は、レリーズスイッチや動作モードを選択するためのモードスイッチなどの動作指示をするためのスイッチである。スイッチ状態検知部７０９は操作スイッチ７０８が接続されており、操作スイッチ７０８の状態を監視している。
【０００５】
定電流負荷制御部７１１は、スイッチ状態検知部７０９で検知したスイッチ状態情報によって、定電流負荷部７０５のＯＮ／ＯＦＦの制御を行っている。バッテリ電圧検出部７０６によって、分圧されたバッテリ電圧検出信号がＡ／Ｄ変換部７１２に接続されており、Ａ／Ｄ変換部７１２によってバッテリの電圧情報がデジタル値に変換される。残量算出部７１４は、Ａ／Ｄ変換部７１２から送られてくるバッテリの電圧情報と係数記録部７１３に記録されている動作状態別に設けられた係数を使用してバッテリ残量推定を行う。残量表示部７０７は、残量算出部７１４によって算出されたバッテリ残量推定結果を表示している。
【０００６】
次に動作説明に関して図８を用いて説明する。操作スイッチ７０８によりカメラ動作指示が入力される（Ｓ８０１）とデジタルカメラシステム７０３はバッテリ電圧検出部７０６を介して、Ａ／Ｄ変換部７１２でデジタル変換された現在のバッテリ電圧情報Ｖ０を取得する（Ｓ８０２）。バッテリ電圧情報Ｖ０を取得後、定電流負荷制御部７１１は定電流負荷部７０５をＯＮし、あらかじめ定められた一定の負荷電流ＩＬをバッテリ７０１から流す（Ｓ８０３）。その時のバッテリ電圧をＡ／Ｄ変換部７１２でデジタル変換したバッテリ電圧情報Ｖ１を取得する（Ｓ８０４）。バッテリ電圧情報Ｖ１を取得後、定電流負荷制御部７１１は定電流負荷部７０５をＯＦＦし（Ｓ８０５）、残量算出部７１４にて以下の演算処理および比較を行う（Ｓ８０６）。
【０００７】
Ｖｔｈ  ＜  Ｖ０−Ｋ×ΔＶ
ΔＶ＝Ｖ０−Ｖ１
Ｖｔｈはあらかじめ定められたカメラ動作可能な下限値、Ｋは操作スイッチ７０８より入力されたカメラ動作に対応したあらかじめ定められた任意の各動作モードの係数であり、係数記録部７１３に格納されている。残量算出部７１４にて前記演算処理および比較（Ｓ８０６）を行った結果、演算処理結果がＶｔｈより大きい場合は、Ｓ８０１で入力された動作可能とし、動作を開始し（Ｓ８０７）、動作を終えると動作完了とする（Ｓ８０８）。また、前記演算処理および比較（Ｓ８０６）を行った結果、演算処理結果がＶｔｈより小さい場合は、Ｓ８０１で入力された動作不可能として、残量表示部７０７にバッテリ交換マークを表示する（Ｓ８０９）。そして、電源制御部７１０は電源部７０２をＯＦＦする（Ｓ８１０）。
【０００８】
また、図９のような構成で、定電流負荷（擬似負荷）がなく、回路１、回路２、回路３が動作している時の電圧値と電流値を検出して、それぞれの電流値と電圧値から電池の内部抵抗を算出する方法が開示されている（特許文献２参照）。
【先行技術文献】
【特許文献】
【０００９】
【特許文献１】特開２００４−１５０９５１号公報
【特許文献２】特開２０１０−１９８８９９号公報
【発明の概要】
【発明が解決しようとする課題】
【００１０】
しかしながら、上述の特許文献に開示された従来技術では、定電流負荷を動作させて予測を行うために、定電流負荷回路が必要で、更に、定電流負荷に無駄な電流を流す必要があった。また、定電流負荷回路に電流を流すことにより電圧低下が起こり、システムが動作不能となってしまう場合もあった。
【００１１】
定電流負荷回路がない回路構成でも電流検出回路が必要であり、電流検出回路は、電源ラインに低抵抗を直列に接続し電圧を検出して算出するので、低抵抗で消費される電力が無駄であった。この構成では、複数の回路を動作させる必要があるので起動時に予測することが不可能であった。
【００１２】
そこで、本発明は、定電流負荷回路などの擬似負荷が必要なく、起動時にも動作予測を可能にした電子機器を提供することである。
【課題を解決するための手段】
【００１３】
上記目的を達成するために、本発明は、電子機器に電源を供給する挿抜可能な第一のバッテリと、第一のバッテリが抜かれている状態でも電子機器の一部に電源を供給する第二のバッテリと、第一のバッテリから電子機器に必要な電圧に変換する電源変換部と、第一のバッテリの電圧を検出する第一のバッテリ又は第二のバッテリで動作するバッテリ電圧検出部と、電子機器の電源ＯＮ／ＯＦＦを操作する電源操作部と、電源操作部からの信号で電源変換部をＯＮ／ＯＦＦ制御する第一のバッテリ又は第二のバッテリで動作する電源制御部を備えて、電源制御部が前記電源変換部をＯＦＦしている時の第一のバッテリ電圧と、電源変換部をＯＮしている時の第一のバッテリ電圧から、第一のバッテリの内部抵抗値を算出し、算出した内部抵抗値から電子機器が動作可能であるかを判断することを特徴とする。
【発明の効果】
【００１４】
本発明によれば、定電流負荷回路などの擬似負荷が必要なく、起動時にも動作予測を可能にした電子機器を提供することができる。
【図面の簡単な説明】
【００１５】
【図１】実施例１を説明するためのブロック図である。
【図２】実施例１を説明するためのデジタルカメラの構成である。
【図３】実施例１を説明するための基本動作のフローチャートである。
【図４】実施例１を説明するためのフローチャートである。
【図５】実施例２を説明するためのブロック図である。
【図６】実施例２を説明するためのフローチャートである。
【図７】従来例を説明するための図である。
【図８】従来例を説明するためのフローチャートである。
【図９】従来例を説明するための図である。
【発明を実施するための形態】
【００１６】
以下に、本発明の好ましい実施の形態を、添付の図面に基づいて詳細に説明する。図１は、本発明の実施形態にかかわるデジタルカメラである。
【実施例１】
【００１７】
本発明の実施の一形態について、図２、図３に基づいて説明すると以下のとおりである。本実施形態におけるデジタルカメラの構成を図２に示す。２０１は被写体の光学像を固体撮像素子２０３に結像させるレンズ。２０２はシャッター機能を有しレンズ１を通った光量を制御するための絞りを兼ねた絞り・シャッター。２０３はレンズ２０１で結像された被写体光を電気信号として取り込むための固体撮像素子である。
【００１８】
２０４は固体撮像素子２０３より出力される電気信号のクロックの除去やノイズの軽減するための相関二重サンプリングを行うＣＤＳ部。２０５はＣＤＳ部２０４の出力信号を後述のタイミング発生部２０８から供給されるクランプパルスのタイミングで所定の基準電圧にクランプするクランプ回路部。２０６はクランプ出力の信号をアナログ信号からデジタル信号に変換するＡ／Ｄ変換部。２０７は表示や記録などをするために所望の形式となるように種々の信号処理や変換を行う信号処理部である。
【００１９】
２０８は固体撮像素子２０３・ＣＤＳ部２０４・クランプ回路部２０５およびＡ／Ｄ変換部２０６へ必要なパルスを発生するタイミングパルス発生部。２０９はレンズ２０１や絞り・シャッター２０２を駆動するための光学系駆動部。２１０は撮像装置全体の制御及び各種演算を行うシステム制御部。２１１は信号処理部２０７からの信号を受けＬＣＤ等に表示する表示部。２１２は画像データの記録又は読み出しを行うための半導体メモリー等の記録媒体。２１３はデジタルカメラのすべてのブロックに電源を供給する電源部。２１４はデジタルカメラの電源をオン、オフするための操作を行うメインスイッチ（操作部）である。
【００２０】
次に、本発明のデジタルカメラの基本動作を図３のフローチャートを用いて簡単に説明する。撮像装置は、メインスイッチ２１４がオンされると（Ｓ３０１）電源部２１３は動作を開始し、メイン電源およびコントロール系の電源を供給する。モードが撮影または再生かを判断し（Ｓ３０２）撮影モードであれば撮影シーケンスに入る。再生モードであった場合は再生シーケンスに行き、記録媒体２１２からデータを一旦信号処理部２０７に取り込み（Ｓ３１９）表示のための信号処理を行い、ＬＣＤ等に画像を表示する（Ｓ３２０）。その後、メインスイッチ２１４がオフされるまで画像を表示し、メインスイッチ２１４がオフされたら（Ｓ３２１）画像の表示を中止し電源をオフする。
【００２１】
Ｓ３０２の判断において撮影シーケンスに入った場合は、ＡＦレンズのレンズ位置をリセット位置まで駆動し、固体撮像素子２０３やタイミングパルス発生部２０７など撮像系回路の電源をオンする。システム制御部２１０の制御により光学系駆動部２０９からの信号で絞り・シャッター２０２をまず開放にした後（Ｓ３０４）測光シーケンスに入る。固体撮像素子２０３を通った信号をＣＤＳ部２０４で相関二重サンプリング、クランプ回路部２０５でＯＢ部をクランプ、Ａ／Ｄ変換部２０６でＡ／Ｄ変換を行う。その変換された画像データを信号処理部２０７で処理し、更にシステム制御２１０に入力しここで測光値から露出制御値を演算する（Ｓ３０５）。この演算結果に応じてシステム制御２１０はプログラム線図により、絞り、シャッタースピード決定し制御する（Ｓ３０６）。表示モードを確認し（Ｓ３０７）、表示ＯＮのモードであればＬＣＤ等の表示を行い（Ｓ３０８）、そうでない場合はレリーズスイッチの第１のスイッチがオンされるまで待機する。
【００２２】
第１のスイッチがオンされると（Ｓ３０９）、再び測光シーケンスに入り測光および演算を行い（Ｓ３１０）、その結果に応じてシステム制御２１０は再度プログラム線図により、絞り、シャッタースピード決定し再度制御する（Ｓ３１１）。次に、固体撮像素子２０３、ＣＤＳ部２０４、クランプ部２０５、Ａ／Ｄ変換部２０６を通った信号から信号処理部２０７で高周波成分を取り出し被写体までの距離の演算をシステム制御２１０で行う（Ｓ３１２）。その後レンズを駆動して合焦か否かを判断し（Ｓ３１３）、合焦していないと判断したときは再びレンズを駆動し測距を行う。合焦後、レリーズスイッチの第２のスイッチがオンされるまで待機し、第２のスイッチがオンされたら（Ｓ３１４）静止画の露光を行う（Ｓ３１５）。
【００２３】
露光が終了すると、固体撮像素子２０３、ＣＤＳ部２０４、クランプ部２０５、Ａ／Ｄ変換部２０６を通った画像データは信号処理部２０７で所望の信号処理を行い、システム制御２１０の制御により半導体メモリー等の記録媒体２１２に記録される。この時第２のスイッチが押され続けていた場合は（Ｓ３１６）、ＬＣＤ等に画像を表示し（Ｓ３１７）第２のスイッチがオフされるまで表示し続け、オフされた時には表示を止めて撮影を終了する。Ｓ３１８ではじめから第２のスイッチがオフだった場合は、表示は行わずに撮影を終了する。メインスイッチがオフされていなければ（Ｓ３１８）、レリーズスイッチの第１のスイッチが押されるまでのシーケンスを再度行い、レリーズスイッチの第１のスイッチがオンされるまで待機する。メインスイッチ２１４がオフされれば光学ブロックの各メカは所定の位置に戻りメインの電源を切る。
【００２４】
以下、図１を用いて、図２のシステム制御部２１０、電源２１３とスイッチ部２１４の詳細な構成の説明を行う。
【００２５】
１０１は、カメラシステム全体の電力を供給するメインバッテリである。１０２は、カメラシステムに必要な電圧をメインバッテリから作り出して供給するＤＣ／ＤＣコンバータなどから成る電源部である。１０３は、メインバッテリの電圧を抵抗Ｒ１、Ｒ２で分圧したバッテリ電圧検出部である。１０４は、カメラシステムを起動、シャットダウンなどを指示するための電源ＳＷである。１０５は、カメラシステムがシャットダウン状態であっても動作し続けいている回路に電源を供給するためのバックアップバッテリである。１０６は、メインバッテリの内部抵抗を算出するためのバッテリ内部抵抗算出部である。バッテリ内部抵抗算出部１０６は、メインバッテリ１０１又は、バックアップバッテリ１０５から供給される電源で動作する。
【００２６】
以下に、バッテリ内部抵抗算出部の詳細構成を説明する。１０７は、バッテリ検出部１０３でメインバッテリが分圧されたバッテリ検出信号をＡ／Ｄコンバータで構成されているＡＤ変換部である。１０８は、電源ＳＷ１０４の信号を検出するＳＷ検出部である。１０９は、ＳＷ検出部１０８で検出した電源ＳＷの状態や、メインＣＰＵからの命令によって電源部１０２やＡＤ変換部１０７を制御する制御部である。
【００２７】
１１０は、バッテリの内部抵抗を算出するために必要な係数を記憶している係数記憶部である。係数記憶部１１０は、メインバッテリ１０１の電圧値に対して、デジタルカメラが初期化動作後に消費する電流値を記憶している。１１１は、ＡＤ変換部１０７の結果と係数記憶部１１０で記憶されている係数を用いてバッテリ内部抵抗値を算出する算出部である。１１２は、メインＣＰＵがバッテリ内部抵抗算出部１０６と通信を行ためのＩ／Ｆ部である。
【００２８】
次に、図４を用いて、本発明の動作フローの説明を行う。本発明形態であるデジタルカメラがシャットダウン状態で、電源ＯＮするために電源ＳＷ１０４が押されるかをＳＷ検出部１０８が監視を行う（Ｓ４０１）。Ｓ４０１において、電源ＳＷ１０４が押されたことを検出したら、制御部１０９はＡＤ変換部１０７を動作させてバッテリ検出部１０３からの信号からメインバッテリ１０１の電圧値Ｖ０を取得する（Ｓ４０２）。Ｓ４０２で取得した電圧値Ｖ０で、デジタルカメラが起動可能である所定の電圧よりも高い電圧であるかを判別する（Ｓ４０３）。
【００２９】
Ｓ４０３において、電圧値Ｖ０がデジタルカメラが起動可能である所定の電圧よりも低い場合には、デジタルカメラを起動せずにシャットダウン状態を維持する（Ｓ４０４）。
Ｓ４０３において、電圧値Ｖ０がデジタルカメラが起動可能である所定の電圧よりも高い場合には、制御部１０９は電源部１０２に対してカメラシステムに電源を供給するように指示を行い、カメラシステムに電源を供給する（Ｓ４０５）。
【００３０】
Ｓ４０５でカメラシステムに対して電源を供給しメインＣＰＵが初期化を行い正常に立ち上がり応答があるのをＩ／Ｆ部１１２を通して制御部１０９が監視を行う（Ｓ４０６）。
Ｓ４０６において、メインＣＰＵからの応答を確認した後に制御部１０９は、ＡＤ変換部１０７を動作させてバッテリ検出部１０３からの信号からメインバッテリ１０１の電圧値Ｖ１を取得する（Ｓ４０７）。
【００３１】
算出部１１１は、Ｓ４０２とＳ４０７で取得した電圧値Ｖ０、Ｖ１と係数記憶部１１０に記憶している係数を用いてメインバッテリ１０１の内部抵抗値ｒを算出する。電圧値Ｖ１の時にカメラシステムが所定の動作をしている状態の電流値は既知であり、その既知の電流値をＩとして、係数記憶部１１０に記憶されている。係数記憶部１１０から所定の電流値Ｉを呼び出し、以下の式から内部抵抗ｒを算出する（Ｓ４０８）。
【００３２】
ｒ＝（Ｖ１−Ｖ０）／Ｉ  ・・・（Ｉ）
デジタルカメラの起動モードが撮影モードであるか、再生モードであるかをメインＣＰＵが判別する（Ｓ４０９）。
【００３３】
Ｓ４０９で、カメラの起動モードが撮影モードであれば、メインＣＰＵは、Ｉ／Ｆ部１１２を経由して、Ｓ４０８で算出した内部抵抗値ｒを読み出す。さらに、メインＣＰＵは、内部抵抗値ｒと予め分かっている撮影モードの時に流れる電流値ＩＲＥＣとを用いて、撮影モード起動可能であるかを推測する（Ｓ４１０）。
【００３４】
Ｓ４１０で推測する式として以下の式を用いる。
デジタルカメラが動作可能であるメインバッテリ電圧をＶＬＢとする。
【００３５】
Ｖ１−ｒ×ＩＲＥＣ  ＞  ＶＬＢ  ・・・（ＩＩ）
Ｓ４１０において、（ＩＩ）式を満たす場合には、撮影モードを起動が可能であるので、撮影モード起動を行う（Ｓ４１１）。Ｓ４１０において、（ＩＩ）式を満たさない場合には、撮影モードを起動が不可能であるので、撮影モード起動を行わずにメインＣＰＵはシャットダウン処理を行いシャットダウンする（Ｓ４１２）。
【００３６】
Ｓ４０９で、カメラの起動モードが再生モードであれば、メインＣＰＵは、Ｉ／Ｆ部１１２を経由して、Ｓ４０８で算出した内部抵抗値ｒを読み出す。さらに、メインＣＰＵは、内部抵抗値ｒと予め分かっている再生モードの時に流れる電流値ＩＰＬＡＹとを用いて、再生モード起動可能であるかを推測する（Ｓ４１３）。
Ｓ４１３で推測する式として以下の式を用いる。
デジタルカメラが動作可能であるメインバッテリ電圧をＶＬＢとする。
【００３７】
Ｖ１−ｒ×ＩＰＬＡＹ  ＞  ＶＬＢ  ・・・（ＩＩＩ）
Ｓ４１３において、（ＩＩＩ）式を満たす場合には、再生モードを起動が可能であるので、撮影モード起動を行う（Ｓ４１４）。Ｓ４１３において、（ＩＩＩ）式を満たさない場合には、再生モードを起動が不可能であるので、再生モード起動を行わずにメインＣＰＵはシャットダウン処理を行いシャットダウンする（Ｓ４１２）。
【００３８】
このような構成にすることにより、起動可能であるか不可能であるかの予測が外部にダミー負荷回路を用いずに行えるという効果が得られる。
【００３９】
以上、本発明の好ましい実施形態について説明したが、本発明はこれらの実施形態に限定されず、その要旨の範囲内で種々の変形及び変更が可能である。
【実施例２】
【００４０】
本発明の実施例２の構成は、実施例１の基本構成は同じでバッテリ内部抵抗算出部の一部の構成が異なるのと、動作フローが異なるので、バッテリ内部抵抗算出部の構成と動作フローの異なる点について説明する。
【００４１】
図５を用いて、実施例２のバッテリ内部抵抗算出部の構成の説明をする。５０６は、メインバッテリの内部抵抗を算出するためのバッテリ内部抵抗算出部である。バッテリ内部抵抗算出部５０６は、メインバッテリ１０１又は、バックアップバッテリ１０５から供給される電源で動作する。５０７は、バッテリ検出部１０３でメインバッテリが分圧されたバッテリ検出信号をＡ／Ｄコンバータで構成されているＡＤ変換部である。５０８は、電源ＳＷ１０４の信号を検出するＳＷ検出部である。
【００４２】
５０９は、ＳＷ検出部５０８で検出した電源ＳＷの状態や、メインＣＰＵからの命令によって電源部１０２やＡＤ変換部５０７を制御する制御部である。５１０は、バッテリの内部抵抗を算出するために必要な係数を記憶している係数記憶部である。係数記憶部５１０は、メインバッテリ１０１の電圧値に対して、デジタルカメラが初期化動作後に消費する電流値を記憶している。５１１は、ＡＤ変換部５０７の結果と係数記憶部５１０で記憶されている係数を用いてバッテリ内部抵抗値を算出する算出部である。５１２は、メインＣＰＵがバッテリ内部抵抗算出部５０６と通信を行ためのＩ／Ｆ部である。５１３は、内部抵抗や電圧値を記憶しておく記憶部である。
【００４３】
次に、図６を用いて、本発明の動作フローの説明を行う。本発明形態であるデジタルカメラが動作している状態で、シャットダウンするために電源ＳＷ１０４が押されるかをＳＷ検出部５０８が監視を行う（Ｓ６０１）。Ｓ６０１において、電源ＳＷ１０４が押されたことを検出したら、メインＣＰＵはカメラをシャットダウンできる状態にするためのシャットダウン処理を行う（Ｓ６０２）。図３の起動時に取得した電圧値Ｖ０、Ｖ１と内部抵抗値ｒを記憶部５１３に記憶する（Ｓ６０３）。
【００４４】
制御部５０９は、デジタルカメラの全体の電源をＯＦＦするために電源部１０２に対して、電源をＯＦＦする信号を送る（Ｓ６０４）。制御部５０９は、ＡＤ変換部５０７を定期的に動作させてメインバッテリ１０１が抜かれていないかを監視する（Ｓ６０５）。Ｓ６０５において、メインバッテリ１０１が抜かれたことを検出した場合には、記憶部５１３に記憶した電圧値Ｖ０、Ｖ１と内部抵抗値ｒをリセットし、メインバッテリ１０１の監視を停止する（Ｓ６０６）。
【００４５】
Ｓ６０５において、バッテリが抜かれていなければ電源ＳＷ１０４が押されてデジタルカメラを電源ＯＮする起動指示の有無をＳＷ監視部５０８で監視する（Ｓ６０７）。Ｓ６０７において、ＳＷ１０４が押されたことを検出できなければ、Ｓ６０５に戻る。
【００４６】
Ｓ６０７において、ＳＷ１０４が押されたことを検出したならば、制御部５０９はＡＤ変換部５０７を動作させてバッテリ検出部１０３からの信号からメインバッテリ１０１の電圧値Ｖ０’を取得する（Ｓ６０８）。Ｓ６０８で取得したメインバッテリ１０１の電圧値Ｖ０’が起動可能である所定の電圧よりも高い電圧であるかを判別する（Ｓ６０９）。
【００４７】
Ｓ６０９において、電圧値Ｖ０’が起動可能である所定の電圧よりも低い場合には、デジタルカメラを起動せずにシャットダウン状態を維持する（Ｓ６１０）。Ｓ６０９において、電圧値Ｖ０’が起動可能である所定の電圧よりも高い場合には、制御部５０９は電源部１０２に対してカメラシステムに電源を供給するように指示を行い、カメラシステムに電源を供給する（Ｓ６１１）。
【００４８】
Ｓ６１１でカメラシステムに対して電源を供給しメインＣＰＵが初期化を行い正常に立ち上がった状態でのメインバッテリ１０１の電圧値をＡＤ変換部５０７より電圧値Ｖ１’を取得する（Ｓ６１２）。記憶部５１３に記憶している電圧値Ｖ０、とＳ６０８で取得した電圧値Ｖ０’が同じ値であるかの比較と、記憶部５１３に記憶している電圧値Ｖ１とＳ６１２で取得した電圧値Ｖ１’が同じであるかを比較する（Ｓ６１３）。
【００４９】
Ｓ６１３において、両方とも同じ電圧であればメインバッテリの内部抵抗として記憶部５１３に記憶している内部抵抗ｒを起動確認の抵抗値として採用する（Ｓ６１４）。Ｓ６１３において、どちらかが異なる電圧であれば、電圧値Ｖ０’と電圧値Ｖ１’を用いてメインバッテリの内部抵抗ｒを算出する（Ｓ６１５）。
【００５０】
このような構成にすることにより、メインバッテリの電圧値が前回起動時の電圧値と同じ場合には、内部抵抗値を算出する処理を行わなくてよいという効果が得られる。
【００５１】
以上、本発明の好ましい実施形態について説明したが、本発明はこれらの実施形態に限定されず、その要旨の範囲内で種々の変形及び変更が可能である。
【００５２】
なお、実施例１及び２において、デジタルカメラを一例として説明を行ったが、デジタルカメラ以外の電子機器において、実施例１や２で説明された処理や制御が行われるようにしてもよい。
【符号の説明】
【００５３】
１０１：メインバッテリ
１０２：電源部
１０３：バッテリ検出部
１０４：電源ＳＷ
１０５：バックアップバッテリ
１０６：バッテリ内部抵抗検出部
１０７：ＡＤ変換部
１０８：ＳＷ検出部
１０９：制御部
１１０：係数記録部
１１１：算出部
１１２：Ｉ／Ｆ部
【図３】
2015186359.tif 000003
【図１】
2015186359.tif 000004
【図２】
2015186359.tif 000005
【図４】
2015186359.tif 000006
【図５】
2015186359.tif 000007
【図６】
2015186359.tif 000008
【図７】
2015186359.tif 000009
【図８】
2015186359.tif 000010
【図９】
2015186359.tif 000011